(57)【要約】【課題】地形の影響を受けずに、確実にかつ簡便な手法により放送内容を伝達することが可能な防災放送システムと、これに用いられる再放送装置を提供する。【解決手段】防災放送システム１は、防災放送局２と、再放送装置３と、インターネット通信制御部４と、再放送内容受信送信部５とを備えている。再放送装置３は、防災放送局２から放送がなされたことを検知する放送検知手段を有し、放送検知手段によって防災放送局２から放送がなされたことが検知されると、第１のＩＰ通信機１３が放送内容の音声信号を受信し、インターネット通信制御部４に対してインターネット通信により放送内容の音声信号を送信する。インターネット通信制御部４から送られる放送内容の音声信号を、再放送内容受信送信部５の第２のＩＰ通信機１９が受信して放送内容が再放送される。【選択図】図１
2018152752.tif 000002
【特許請求の範囲】
【請求項１】
防災放送局から放送がなされたことを検知する放送検知手段を有し、放送検知手段によって防災放送局から放送がなされたことが検知されると、第１のＩＰ通信機がその放送内容の音声信号を受信するとともに、インターネット通信制御部を介してインターネット通信により、放送内容を再放送するために放送内容の音声信号を送信することを特徴とする再放送装置。
【請求項２】
前記放送検知手段は、防災放送の音声信号が前記第１のＩＰ通信機のマイク端子に入力されるとともに、防災放送の音声信号がＶＯＸ回路に入力されることによって、前記第１のＩＰ通信機のＰＴＴボタン信号がオンとなるものであることを特徴とする請求項１記載の再放送装置。
【請求項３】
前記放送検知手段は、防災放送の音声信号が前記第１のＩＰ通信機のマイク端子に入力されるとともに、防災放送中に点灯する光信号が光スイッチに入力されることによって、前記第１のＩＰ通信機のＰＴＴボタン信号がオンとなるものであることを特徴とする請求項１記載の再放送装置。
【請求項４】
請求項１から３のいずれかに記載の再放送装置と、再放送装置からの再放送内容の音声信号を受信して制御するインターネット通信制御部と、インターネット通信制御部から発信される再放送内容の音声信号を受信し送信する第２のＩＰ受信機とを備えたことを特徴とする防災放送システム。
【請求項５】
前記インターネット通信制御部は、防災放送局からの放送に対して、再放送のタイミングを遅らせる機能を有することを特徴とする請求項４記載の防災放送システム。
【発明の詳細な説明】
【技術分野】
【０００１】
本発明は、防災用の放送システムと、これに用いられる再放送装置に関し、特に、山などの地形の影響を受けずに放送内容を受信することが可能な防災放送システムに関する。
【背景技術】
【０００２】
近年、防災無線のデジタル化に伴い、従来のアナログ電波による放送では、山手の家々で受信できていた防災無線放送が、デジタル電波に変更されたことにより、電波の直進性が増して、山に跳ね返されて受信できないという問題が発生している。
電波の直進性を課題とした発明として、直進性の高い電波を多様な方向へ反射させる拡散反射を可能とする電波反射体に関する技術が、特許文献１に記載されている。
【０００３】
【特許文献１】特開２０１６−１４４１６４号公報
【発明の概要】
【発明が解決しようとする課題】
【０００４】
防災無線のデジタル化が進行している現状を考慮すると、防災放送が地形の影響を受けずに、確実にかつ簡便な手法により伝達されるようにした、防災無線の不感知地帯対策が求められている。
本発明は、このような事情を考慮してなされたもので、地形の影響を受けずに、確実にかつ簡便な手法により放送内容を伝達することが可能な防災放送システムを提供することを目的とする。
【課題を解決するための手段】
【０００５】
以上の課題を解決するために、本発明の再放送装置は、防災放送局から放送がなされたことを検知する放送検知手段を有し、放送検知手段によって防災放送局から放送がなされたことが検知されると、第１のＩＰ通信機がその放送内容の音声信号を受信するとともに、インターネット通信制御部を介してインターネット通信により、放送内容を再放送するために放送内容の音声信号を送信することを特徴とする。
【０００６】
防災放送局から放送がなされたことが放送検知手段によって検知されると、その放送内容の音声信号が受信され、インターネット通信制御部を介してＩＰ通信によって、放送内容を再放送するために放送内容の音声信号が送信されることにより、ＩＰ通信という電波系に全く関係のないシステムによって情報伝達されるため、地形の影響を受けずに、確実にかつ簡便な手法により放送内容を伝達することができる。
【０００７】
本発明の再放送装置においては、前記放送検知手段は、防災放送の音声信号が前記第１のＩＰ通信機のマイク端子に入力されるとともに、防災放送の音声信号がＶＯＸ回路に入力されることによって、前記第１のＩＰ通信機のＰＴＴボタン信号がオンとなるものである構成とすることができる。
【０００８】
また、本発明の再放送装置においては、前記放送検知手段は、防災放送の音声信号が前記第１のＩＰ通信機のマイク端子に入力されるとともに、防災放送中に点灯する光信号が光スイッチに入力されることによって、前記第１のＩＰ通信機のＰＴＴボタン信号がオンとなる構成とすることができる。
【０００９】
このような放送検知手段が、防災放送局から放送がなされたことを検知することによって、第１のＩＰ通信機のＰＴＴボタン信号がオンとなって、インターネット通信制御部に対してインターネット通信により放送内容の音声信号を送信できる状態となるため、インターネット通信制御部に対して放送内容の音声信号を送信するタイミングを正確に把握することができる。
【００１０】
本発明の防災放送システムは、本発明の再放送装置と、再放送装置からの再放送内容の音声信号を受信して制御するインターネット通信制御部と、インターネット通信制御部から発信される再放送内容の音声信号を受信し送信する第２のＩＰ受信機とを備えたことを特徴とする。
【００１１】
本発明の再放送装置からの再放送内容の音声信号が、第２のＩＰ受信機で受信されて送信されることによって、再放送による情報伝達手段の自由度が高まり防災無線の不感知地帯対策として有効に機能する防災放送システムを構築することができる。
【００１２】
本発明の防災放送システムにおいては、前記インターネット通信制御部は、防災放送局からの放送に対して、再放送のタイミングを遅らせる機能を有する構成とすることができる。
【００１３】
再放送のタイミングを遅らせるディレイ機能を有することにより、ハウリング現象の発生を防止できる。
【発明の効果】
【００１４】
本発明によると、地形の影響を受けずに、確実にかつ簡便な手法により放送内容を伝達することが可能な防災放送システムを実現することができる。
【図面の簡単な説明】
【００１５】
【図１】本発明の実施形態に係る防災放送システムの構成を示す図である。
【発明を実施するための形態】
【００１６】
以下に、本発明の防災放送システムと、防災放送システムで使用される再放送装置を、その実施形態に基づいて説明する。
図１に、本発明の実施形態に係る防災放送システムの構成を示す。
防災放送システム１は、防災放送局２と、再放送装置３と、インターネット通信制御部４と、再放送内容受信送信部５を備えている。
【００１７】
防災放送局２では、マイク入力またはその他の音声入力によって防災放送装置１１から防災放送がなされ、防災放送局２内に設置された防災放送受信機１２に受信される。防災放送受信機１２から、防災放送の内容が音声として流される。防災放送受信機１２として、デジタル無線機、アナログ無線機、ＭＣＡ無線機等を用いることができる。
【００１８】
再放送装置３では、防災放送受信機１２から出力される音声信号が第１のＩＰ通信機１３のマイク端子に入力される。音声信号のマイク端子への入力とともに、防災放送の音声信号がＶＯＸ回路１４に入力されて、一定以上のレベルが検出されると、第１のＩＰ通信機１３のＰＴＴ（Ｐｕｓｈ  Ｔo  Ｔａｌｋ）ボタン信号がオンとなり、ＭＵＴＥが解除される。
【００１９】
または、防災放送受信機１２が防災放送中に点灯するＬＥＤ等の光源から発せられる光信号が、光ケーブルを介して光スイッチ１５に入力されることによって、第１のＩＰ通信機１３のＰＴＴボタン信号がオンとなり、ＭＵＴＥが解除される。
【００２０】
このように、再放送装置３は、防災放送局２から放送がなされたことを検知する放送検知手段を有しており、この放送検知手段によって防災放送局２から放送がなされたことが検知されると、ＰＴＴがオンになった状態で流れてきた音声情報は、第１のＩＰ通信機１３によってその放送内容が受信されるとともに、パケット変換されて、インターネット通信制御部４の通信サーバー１７へ送られる。
【００２１】
上述したように、放送検知手段の一つの例は、防災放送の音声信号が第１のＩＰ通信機１３のマイク端子に入力されるとともに、防災放送の音声信号がＶＯＸ回路１４に入力されることによって、第１のＩＰ通信機１３のＰＴＴボタン信号がオンとなるものである。
【００２２】
また、放送検知手段の他の例は、防災放送の音声信号が第１のＩＰ通信機１３のマイク端子に入力されるとともに、防災放送中に点灯する光信号が光スイッチ１５に入力されることによって、第１のＩＰ通信機１３のＰＴＴボタン信号がオンとなるものである。
【００２３】
なお、放送検知手段は、防災放送局２から放送がなされたことを検知して、第１のＩＰ通信機１３のＰＴＴボタン信号がオンとなるように機能するものであれば、上述した２つの例に限定されず、他の例によるものであってもよい。このような放送検知手段を有することにより、インターネット通信制御部４に対して放送内容の音声信号を送信するタイミングを正確に把握することができる。また、以下に説明する再放送が、時間を置かずに適切なタイミングでなされることが可能となる。
【００２４】
第１のＩＰ通信機１３は、アンテナ１６を介して、インターネット通信制御部４の通信サーバー１７に対して、インターネット通信により放送内容の音声信号を送信する。インターネット通信制御部４は、ＰＴＴ出力制御用パソコン１８を備えており、通信サーバー１７とＰＴＴ出力制御用パソコン１８とは、インターネット通信により通信がなされる。ＰＴＴ出力制御用パソコン１８の機能については後述する。
【００２５】
再放送内容受信送信部５は、第２のＩＰ通信機１９を備えており、通信サーバー１７へアップロードされ、パケット変換された音声信号は、インターネット通信を通じ、アンテナ２０を介して第２のＩＰ通信機１９に受信される。
【００２６】
第２のＩＰ通信機１９に受信される放送内容は、他のＩＰ通信機２１でモバイルインターネット通信により受信することができ、また、スマートフォンアプリ受信機２２でモバイルインターネット通信により受信することができる。他のＩＰ通信機２１として、ハンディタイプ、車載タイプ等のものを用いることができる。これにより、再放送による放送内容を、手持ちの受信機を用いて個人ユーザーが各々受信できることになり、場所を選ばずに放送内容を知ることができる。
【００２７】
パケット変換された音声信号は、再び第２のＩＰ通信機１９によってアナログ音声信号へ変換され、その音声信号が防災無線放送用送信機２３に入力される。この送信制御信号は、通信サーバー１７で制御可能であり、必要な時に出力することができる。
【００２８】
第２のＩＰ通信機１９が受信し、音声出力が始まると同時に、通信サーバー１７側から出力制御信号を送信して、第２のＩＰ通信機１９から出力信号を出し、その信号をＰＴＴ信号にすると、防災無線放送用送信機２３は送信状態となり、音声がそのまま送信される。
【００２９】
この情報を、不感知地帯に置かれた防災放送受信機２４、例えば防災ラジオ受信機が受信し、防災放送局２で放送された内容と同じ放送内容が、不感知地帯に置かれた防災放送受信機２４からも流れるようになる。また、第２のＩＰ通信機１９から防災有線放送アンプ２５に対して出力信号を出し、その信号をＰＴＴ信号にすると、防災有線放送アンプ２５は送信状態となり、屋外拡声子局２６から音声が送信される。
【００３０】
このように、再放送内容受信送信部５の第２のＩＰ通信機１９が放送内容を受信することにより、その後の再放送による情報伝達手段の自由度が顕著に高まることになり、防災無線の不感知地帯対策として極めて有効である。
【００３１】
インターネット通信制御部４のＰＴＴ出力制御用パソコン１８は、防災放送局２からの放送に対して、再放送のタイミングを遅らせる機能を有している。これにより、ハウリング現象の発生を防止できる。
【００３２】
以上説明したように、本発明は、防災放送の内容を、ＩＰ通信を用いて再放送する再放送装置を用いることに至った着想に大きな特徴がある。既存の防災無線システムでは、地形の影響等による受信エリアの制限が問題となっているが、本発明によると、防災放送の受信の自由度が格段に高まることになり、防災無線の不感知地帯対策として有効に機能する。
【産業上の利用可能性】
【００３３】
本発明は、地形の影響を受けずに、確実にかつ簡便な手法により放送内容を伝達することが可能な防災放送システムとして広く利用することができる。
【符号の説明】
【００３４】
１  防災放送システム
２  防災放送局
３  再放送装置
４  インターネット通信制御部
５  再放送内容受信送信部
１１  防災放送装置
１２  防災放送受信機
１３  第１のＩＰ通信機
１４  ＶＯＸ回路
１５  光スイッチ
１６  アンテナ
１７  通信サーバー
１８  ＰＴＴ出力制御用パソコン
１９  第２のＩＰ通信機
２０  アンテナ
２１  他のＩＰ通信機
２２  スマートフォンアプリ受信機
２３  防災無線放送用送信機
２４  防災放送受信機
２５  防災有線放送アンプ
２６  屋外拡声子局
【図１】
2018152752.tif 000003
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
防災放送局から放送がなされたことを検知する放送検知手段を有し、放送検知手段によって防災放送局から放送がなされたことが検知されると、第１のＩＰ通信機がその放送内容の音声信号を受信するとともに、インターネット通信制御部を介してインターネット通信により、放送内容を再放送するために放送内容の音声信号を送信する再放送装置であって、
前記放送検知手段は、防災放送の音声信号が前記第１のＩＰ通信機のマイク端子に入力されるとともに、防災放送の音声信号がＶＯＸ回路に入力されることによって、前記第１のＩＰ通信機のＰＴＴボタン信号がオンとなるものであることを特徴とする再放送装置。
【請求項２】
防災放送局から放送がなされたことを検知する放送検知手段を有し、放送検知手段によって防災放送局から放送がなされたことが検知されると、第１のＩＰ通信機がその放送内容の音声信号を受信するとともに、インターネット通信制御部を介してインターネット通信により、放送内容を再放送するために放送内容の音声信号を送信する再放送装置であって、
前記放送検知手段は、防災放送の音声信号が前記第１のＩＰ通信機のマイク端子に入力されるとともに、防災放送中に点灯する光信号が光スイッチに入力されることによって、前記第１のＩＰ通信機のＰＴＴボタン信号がオンとなるものであることを特徴とする再放送装置。
【請求項３】
請求項１または２に記載の再放送装置と、再放送装置からの再放送内容の音声信号を受信して制御するインターネット通信制御部と、インターネット通信制御部から発信される再放送内容の音声信号を受信し送信する第２のＩＰ受信機とを備えたことを特徴とする防災放送システム。
【請求項４】
前記インターネット通信制御部は、防災放送局からの放送に対して、再放送のタイミングを遅らせる機能を有することを特徴とする請求項３記載の防災放送システム。